(57)【要約】【課題】貯蔵室中に配された別の貯蔵室の温度検知部と、この温度検知部近傍に照明装置が配された条件下で、温度検知部の温度検知精度を向上させる。【解決手段】貯蔵室と、貯蔵室内に配された別の貯蔵室と、別の貯蔵室の温度を検知する第２の温度検知部と、第２の温度検知部の近傍に配された照明装置と、別の貯蔵室近傍に設けた加熱部と、を有する冷蔵庫であって、照明装置が点灯してから消灯した後、待ち時間Ａの経過後に第２の温度検知部が温度を検知し、加熱部は、第２の温度検知部の検知温度ＴＸを利用して加熱量が制御される。【選択図】  図４
2019138515.tif 000002
【特許請求の範囲】
【請求項１】
貯蔵室と、
該貯蔵室内に配された別の貯蔵室と、
前記別の貯蔵室の温度を検知する第２の温度検知部と、
該第２の温度検知部の近傍に配された照明装置と、
前記別の貯蔵室近傍に設けた加熱部と、を有する冷蔵庫であって、
前記照明装置が点灯してから消灯した後、待ち時間Ａの経過後に前記第２の温度検知部が温度を検知し、
前記加熱部は、前記第２の温度検知部の検知温度ＴＸを利用して加熱量が制御されることを特徴とする冷蔵庫。
【請求項２】
前記照明装置が点灯してから消灯するまでの時間ｔaと前記待ち時間Ａとは、正の相関を有することを特徴とする請求項１に記載の冷蔵庫。
【請求項３】
前記貯蔵室の温度を検知する第１の温度検知部と、
前記貯蔵室の扉の開閉を検知する扉開閉検知部と、を有し、
前記照明装置は、前記扉開閉検知部が前記扉の開の検知後に点灯し、閉の検知後に消灯し、
前記第１の温度検知部の検知温度ＴＲ又は前記第２の温度検知部の検知温度ＴＸと前記待ち時間Ａとは、正の相関を有することを特徴とする請求項１又は２に記載の冷蔵庫。
【請求項４】
前記貯蔵室に冷気を供給する冷却ファンモータを有し、
該冷却ファンモータの回転数と前記待ち時間Ａとは、負の相関を有することを特徴とする請求項１乃至３何れか一項に記載の冷蔵庫。
【請求項５】
前記第１の温度検知部の検知温度ＴＲ及び前記第２の温度検知部の検知温度ＴＸの差分の絶対値｜ＴＲ−ＴＸ｜と閾値ＴＨとを比較して、不等式ＴＨ＞｜ＴＲ−ＴＸ｜が成立しない場合、前記第２の温度検知部の検知温度ＴＸの測定をやり直すことを特徴とする請求項１乃至４何れか一項に記載の冷蔵庫。
【請求項６】
貯蔵室と、
該貯蔵室内に配された別の貯蔵室と、
前記貯蔵室の温度を検知する第１の温度検知部と、
前記別の貯蔵室の温度を検知する第２の温度検知部と、
該第２の温度検知部の近傍に配された照明装置と、
前記別の貯蔵室近傍に設けた加熱部と、を有する冷蔵庫であって、
前記照明装置が点灯してから消灯した後、前記第２の温度検知部が温度を検知し、
前記第１の温度検知部の検知温度ＴＲ及び前記第２の温度検知部の検知温度ＴＸの差分の絶対値｜ＴＲ−ＴＸ｜と、閾値ＴＨとを比較して、不等式ＴＨ＞｜ＴＲ−ＴＸ｜が成立しない場合、前記第２の温度検知部の検知温度ＴＸの測定をやり直し、
前記加熱部は、前記第２の温度検知部の検知温度ＴＸを利用して加熱量が制御されることを特徴とする冷蔵庫。
【発明の詳細な説明】
【技術分野】
【０００１】
本発明は、冷蔵庫に関する。
【背景技術】
【０００２】
冷蔵庫では、貯蔵室を照明する照明装置の近傍に貯蔵室内温度を検知するための温度検知部を配置することが主流となってきている。例えば、照明装置には発光ダイオード（ＬＥＤ）を使用し、同一基板上に温度検知部であるサーミスタを搭載している。これにより、省スペース化、温度検知センシングによる性能向上や組立工数を削減するなどの工夫が施されている冷蔵庫が実用化されている。
【０００３】
特許文献１は、同一基板に発熱部（ＬＥＤ）と温度検知部（サーミスタ）とを配している。これにより容積効率の向上を図れるとしており（０００７）、また、ＬＥＤ消灯後（ステップ２０７）に所定時間待機（ステップ２０８）してから収納量判別（ステップ２１４）することで、ＬＥＤの温度上昇や結露による光度の変動の影響を低減する制御を開示している（００５１−００５４）。
【先行技術文献】
【特許文献】
【０００４】
【特許文献１】特開２０１３−１７０７２７号公報
【発明の概要】
【発明が解決しようとする課題】
【０００５】
特許文献１は、ＬＥＤ素子の光度を安定させることを目的としたものであり、ＬＥＤ周辺部の温度を温度センサで検知することで、発熱が影響した程度を計測し、ＬＥＤに印加する電圧を変化させるものである（００５４）。しかし、発熱部近傍に設けられた温度検知部が本来検知すべき室内温度の検知精度そのものを向上させることについては特許文献１は特に検討しておらず、例えば別手段として、温度影響により光度が変化するＬＥＤの温度上昇が飽和して光度が安定するまで点灯させ続けても良いとする（００５５）など、ＬＥＤ近傍の温度検知部が検知する室内温度の検知精度を好適にすることについては特に検討していない。
【課題を解決するための手段】
【０００６】
上記事情に鑑みてなされた第１の本発明は、
貯蔵室と、
該貯蔵室内に配された別の貯蔵室と、
前記別の貯蔵室の温度を検知する第２の温度検知部と、
該第２の温度検知部の近傍に配された照明装置と、
前記別の貯蔵室近傍に設けた加熱部と、を有する冷蔵庫であって、
前記照明装置が点灯してから消灯した後、待ち時間Ａの経過後に前記第２の温度検知部が温度を検知し、
前記加熱部は、前記第２の温度検知部の検知温度ＴＸを利用して加熱量が制御されることを特徴とする。
【０００７】
また、上記事情に鑑みてなされた第２の本発明は、
貯蔵室と、
該貯蔵室内に配された別の貯蔵室と、
前記貯蔵室の温度を検知する第１の温度検知部と、
前記別の貯蔵室の温度を検知する第２の温度検知部と、
該第２の温度検知部の近傍に配された照明装置と、
前記別の貯蔵室近傍に設けた加熱部と、を有する冷蔵庫であって、
前記照明装置が点灯してから消灯した後、前記第２の温度検知部が温度を検知し、
前記第１の温度検知部の検知結果ＴＲ及び前記第２の温度検知部の検知温度ＴＸの差分の絶対値｜ＴＲ−ＴＸ｜と、閾値ＴＨとを比較して、不等式ＴＨ＞｜ＴＲ−ＴＸ｜が成立しない場合、前記第２の温度検知部の検知温度ＴＸの測定をやり直し、
前記加熱部は、前記第２の温度検知部の検知温度ＴＸを利用して加熱量が制御されることを特徴とする。
【図面の簡単な説明】
【０００８】
【図１】本発明の実施例１の冷蔵庫を前方斜視図である。
【図２】図１のＡ−Ａ線断面図である。
【図３】実施例１の照明基板の斜視図である。
【図４】実施例１の温度検知の制御フローチャートである。
【図５】実施例１の冷蔵室又はチルド室温度と扉開放時間と待ち時間との関係を示す図である。
【図６】実施例１の第１の温度検知部と第２の温度検知部との関係を示す図である。
【図７】実施例１の冷蔵庫の制御ブロック図である。
【図８】実施例２の温度検知の制御フローチャートである。
【図９】実施例２の冷却ファンモータの駆動状態と第２の温度検知部の待ち時間との関係を示す図である。
【図１０】実施例２の冷却手段と第２の温度検知部の検出待ち時間と、の関係を示す図である。
【発明を実施するための形態】
【０００９】
以下、添付の図面を参照しながら本発明の実施例について説明する。
【実施例１】
【００１０】
図１は本実施例の冷蔵庫を前方斜視図、図２は図１のＡ−Ａ線断面図、図３は本実施例の照明基板１６の斜視図である。冷蔵庫本体１は、上方から、冷蔵室２と、左右に並べた上段冷凍室３および製氷室４と、下段冷凍室５と、野菜室６と、を有している。なお、一例として、冷蔵室２および野菜室６は、およそ３〜５℃の冷蔵温度帯の貯蔵室である。冷蔵室２と野菜室６との間には、これらの両室と断熱的に仕切られた０℃以下の冷凍温度帯（例えば、約−２０℃〜−１８℃の温度帯）の冷凍室である製氷室３、上段冷凍室４、及び下段冷凍室５が、図２に示すように、発泡断熱材等で区画され配置されている。各貯蔵室には、貯蔵室内の温度を計測する温度検知部が設けられている。
【００１１】
冷蔵室２の前方開口には、左側冷蔵室扉２ａ及び右側冷蔵室扉２ｂを備え、夫々上下のヒンジを介して回転することで冷蔵室２を開閉するフレンチドアを構成する。上段冷凍室３、製氷室４、下段冷凍室５及び野菜室６の夫々の前方開口には、夫々上段冷凍室扉３ａ、製氷室扉４ａ、下段冷凍室扉５ａ及び野菜室扉６ａを備えている。なお、上段冷凍室扉３ａ、製氷室扉４ａ、下段冷凍室扉５ａ及び野菜室扉６ａは、前後に移動する引き出し式の扉で構成されている。各扉には、各扉が開いているか閉じられているかを検知する扉センサが設けられている。
【００１２】
冷蔵庫１には、制御基板１１によって制御される公知の冷凍サイクル及び各貯蔵室への冷気供給量を変更できるダンパが設けられている。
【００１３】
冷蔵室２には、冷蔵室２内の温度を検知する第１の温度検知部１０が奥側（扉２ａ，２ｂに離間する側）に配されている。この検知温度に応じて冷凍サイクルを制御することにより、冷蔵室２の温度を目標値に近付けている。目標値としては、例えば３℃〜５℃が挙げられる。
【００１４】
冷蔵室２内には、冷蔵室２とは区画された別室としてチルド室１２が設けられている。本実施例のチルド室１２は、チルド室１２の扉が閉じられている状態では、冷蔵室２との間で気体の交換が実質的になされないように構成されている。すなわち、冷蔵室２とチルド室１２の温度は、少なくとも、両室が容易に気体交換できる状況に比して、大きく異なる値になり得る。もちろん、両室を連通させた態様に変更した場合、それを以て本実施例のその他の構成が適用できなくなるというわけではない。
【００１５】
チルド室１２は、冷蔵室２内に、さらにチルド室１２の開閉に用いられる扉を有し、冷蔵室２とは区画された貯蔵室である。チルド室１２の温度の目標値としては、１℃前後のチルド温度帯と０℃以下の氷温帯を、自動又は手動で切替え可能である。チルド室１２内の温度は、チルド室１２奥側に取付られた第２の温度検知部１８で検知される。第２の温度検知部１８は、チルド室１２内を照らす照明装置１７が配された基板１６と一体に構成されている。この検知温度に応じて、チルド室１２に向けて冷気を供給して、チルド室１２外殻の冷却を通じて間接的にチルド室１２内を冷却したり、チルド室１２近傍（例えば下方）に配した温度補償用ヒータ１３を通電してチルド室１２を加熱することで、目標値に近付けることができる。なお、本実施例のチルド室１２は、（下方に）隣接して位置する冷凍室４との間や、チルド室１２の筐体を介した冷蔵室２との間の熱伝達で冷却され続けることができる。
【００１６】
なお、温度検知部１０，１８の検知温度に応じた制御は、冷蔵庫本体１の背面上部に配置された制御基板１１にて行うことができる。また、後述のステップＳ１０８の制御を実行することから、仮にチルド室１２を取り外した上で略同一の場所に第２の温度検知部１８を配した状況にしたならば、第１の温度検知部１０と第２の温度検知部１８とがそれぞれ検知する温度が略同一となるような場所に両温度検知部１０，１８を配することが好ましい。
【００１７】
冷蔵室扉２ａ、２ｂには、扉の開閉の検知を行う扉開閉検知部１４が冷蔵室２と上段冷凍室４の断熱シキリ部前面側に配置されている。冷蔵室扉２ａ又は２ｂの開放を検知すると、冷蔵室２上方の照明装置１５およびチルド室１２用の照明装置１７を点灯させる。
【００１８】
照明基板１６上には照明装置としての照明用ＬＥＤ１７とチルド室１２の温度を検知する第２の温度検知部としてのサーミスタ１８とが搭載されている。実装性、小型化や低価格を考慮するとＬＥＤとサーミスタは面実装型が望ましい。照明用ＬＥＤ１７はチルド室１２に向けて光を照射するところ、同時に熱を発生させるため、サーミスタ１８は熱の影響を受け、温度検知対象であるチルド室１２内の真の温度よりも高い温度を検知しやすくなる。
【００１９】
そこで本実施例では、温度検知部１８の温度検知に関する制御を次のように実行することで、検知精度を向上させている。
【００２０】
図４は本実施例の温度検知の制御フローチャートである。
【００２１】
まず、冷蔵庫１の運転が開始されると、第１の温度検知部１０が温度計測を実行してチルド室１２が設置されている貯蔵室（本実施例では冷蔵室２）の温度ＴＲを取得する（ステップＳ１００）。なお、チルド室１２の温度ＴＸも検知しても良い。これら検知結果を利用して、定常時の冷凍サイクルや温度補償ヒータ１３の制御を行うことができる。冷蔵室２の扉２ａ，２ｂ何れも開いていない場合（ステップＳ１０１，Ｎｏ）、冷蔵室２の温度計測を繰り返す。ここで、第１温度検知部１０の検知温度ＴＲと、第２温度検知部１８の検知温度ＴＸとおいている。
【００２２】
何れかが開いたことを検知した場合（ステップＳ１０１，Ｙｅｓ）、扉２ａ，２ｂが開かれてからの経過時間ｔの計測を開始し、扉２ａ，２ｂが開かれる直前または直後の冷蔵室２の温度ＴＲと好ましくはさらにチルド室１２の温度ＴＸを記憶するとともに（ステップＳ１０２）、照明装置１７を点灯させる（ステップＳ１０３）。
【００２３】
（照明装置１７発熱に起因する影響）
貯蔵室の扉２ａ，２ｂの両扉が閉められていない場合（ステップＳ１０４，Ｎｏ）、照明装置１７を点灯し続ける。両扉が閉められたことを検知した場合（ステップＳ１０４，Ｙｅｓ）、照明装置１７を消灯させるとともに経過時間ｔの計測を終了させ、待ち時間Ａを演算する（ステップＳ１０５）。ｔの計測結果をｔaとおいている。待ち時間Ａの演算法は後述する。
【００２４】
本実施例では、扉開時間ｔaと略同じ時間に亘って照明装置１７が点灯することになる。照明装置１７の点灯に起因して、扉閉直後に第２の温度検知部１８によってチルド室温度ＴＸを検知させると、第２の温度検知部１８近傍に配されている照明装置１７の発熱の影響により、チルド室１２の真の温度より高く検知しがちである。
【００２５】
（影響の低減（待ち時間Ａに亘る待機））
このため本実施例では、照明装置１７の消灯のきっかけとなる扉２ａ，２ｂの閉検知（ステップＳ１０４，Ｙｅｓ）から直ちに温度検知部１８に温度を測定させるのではなく、待ち時間Ａの経過を待って、温度検知を実行する。待ち時間Ａは、照明装置１７の直前の点灯時間（すなわち、本実施例では扉２ａ，２ｂ何れかが直前に開放されてから両者が閉じられるまでの時間）ｔａ及びステップＳ１０２の冷蔵室温度ＴＲ（チルド室１２の温度ＴＸでもよい）に応じて算出されることができる。ステップＳ１０２に代えて又は追加してステップＳ１０４のＹｅｓ時に新たに検知してこれを利用しても良い。
【００２６】
具体的には、算出した待ち時間Ａの経過後（ステップＳ１０６，Ｙｅｓ）、第２の温度検知部１８に温度ＴＸの検知を実行させる（ステップＳ１０７）。これにより、照明装置１７の発熱に起因して第２の温度検知部１８がチルド室１２内の温度を高めに誤検知する虞を低減できる。このためチルド室１２の温度を精確に検知できるので、チルド室１２の温度制御の際に、チルド室１２を冷やし過ぎたり加熱し過ぎたりする虞を低減できる。
【００２７】
（待ち時間Ａの演算）
図５は本実施例の開時又は閉時のチルド温度ＴＸ（開時又は閉時の冷蔵室温度ＴＲでもよい。図５ではＴＸを用いている。）と冷蔵室扉２ａ，２ｂ開放時間ｔaと待ち時間Ａとの関係を示す図である。ステップＳ１０５で演算される待ち時間Ａは、ステップＳ１０２又はＳ１０４，Ｙｅｓで記憶された冷蔵室温度ＴＲ（チルド室１２の温度ＴＸでもよい）とステップＳ１０５で計測終了するまでの扉開放時間ｔaとに応じて決定される。
【００２８】
たとえば、扉開放時間ｔaが同じ値ｔ２の場合、待ち時間Ａは、第１の温度検知部１０の計測値が高い（ＴＲ１＜ＴＲ２）ほど、長く（Ａ２＜Ａ３）なる。これは、扉閉直後の冷蔵室２の温度が高いほど、外気によって基板１６が暖められて第２の温度検知部１８の検知温度が上昇するところ、冷蔵室２とチルド室１２とは上述の通り気体交換が抑制された構造であるため、チルド室１２の真の温度は基板１６よりも温度上昇が遅いためである。
【００２９】
さらに、温度検知部１０の検知温度が同じ値ＴＸ１の場合、待ち時間Ａは、開放時間Ｔが長い（Ｔ１＜Ｔ２）ほど、長く（Ａ１＜Ａ２）なる。扉閉時の検知温度が高いということは、外気流入により第２温度検知部１８の温度が上昇してしまうところ、チルド室１２は冷蔵室２から区切られているため、真の温度はこれより低くなりがちだからである。
【００３０】
このような２つの相関関係を持たせる方法で待ち時間Ａを算出することにより、第２の温度検知部１８がよりチルド室１２の真の温度に近い温度を取得できる。第２の温度検知部１８が誤って高温寄りに判定してしまうと、温度補償ヒータ１３の通電停止またはＤｕｔｙ低下が生じ、チルド室１２内温度が低下し続けてしまうし、低温寄りに判定してしまうと、温度補償ヒータ１３が通電し続けて過熱されてしまう。
【００３１】
待ち時間Ａの算出は、図５に例示するようなグラフを与える演算式を、上記の相関関係を持つような式で適当に定めても良いし、テーブルを準備しておいても良い。より具体的には、図５のようなグラフを式またはテーブルから描く場合に、縦軸を待ち時間Ａ，横軸を開放時間Ｔとすると、微分係数ｄＡ／ｄＴ（又は離散的な差分演算ＤＡ／ＤＴ）は、常に正値かつ単調減少としていると好ましい。また、貯蔵室２の温度が高い場合、待ち時間Ａの実質的な最大値（Ｔ→∞のときのＡ）が高くなっていくようにすると好ましい。すなわち、開放時間ｔaの上昇による待ち時間Ａの増加量は飽和していくのに対し、貯蔵室温度ＴＸの飽和速度はこれより遅い。
【００３２】
（冷蔵室温度ＴＲを利用した待ち時間Ａの補正）
それぞれの温度検知部１０，１８は、冷蔵室２の温度にも影響を受ける。具体的には、第１の温度検知部１０は当然に冷蔵室２の温度検知に用いられるものであるから、冷蔵室２内の温度に影響を受けるし、第２の温度検知部１８は、基板１６の裏面が冷蔵室２内に向いているため、やはり或る程度は冷蔵室２の温度の影響を受ける。このため、冷蔵室扉２ａ，２ｂが開かれたことで外気が流入した場合、外気に起因する温度検知部１０，１８の温度上昇量は、比較的近い値になる、少なくとも正の相関を示すことが本発明者らの検討により確認された。
【００３３】
このため本実施例では、好ましくは、扉２ａ，２ｂ閉後（ステップＳ１０４，Ｙｅｓ）、同様に待ち時間Ａ待機してから第１の温度検知部１０に温度を検知させる（ステップＳ１０７）。そして、両温度検知部１０，１８の検知温度の差分の絶対値｜ＴＲ−ＴＸ｜を計算するとき、照明装置１７に起因する第２の温度検知部１８の温度上昇の影響が小さければ、その結果は略０であることが期待される。したがって、閾値ＴＨを定め、これと｜ＴＲ−ＴＸ｜との大小関係を判定することで、第２の温度検知部１８の検知温度ＴＸが妥当か否かを推定できる。なお、この場合の待ち時間はＡでもよいし、別途演算法を定めたり固定値にしても良い。また、閾値ＴＨをを用いた判定（ステップＳ１０８）を行う場合、ステップＳ１０５の待ち時間Ａは固定にしても良い。閾値ＴＨの設定法は後述する。
【００３４】
すなわち、本実施例では、不等式ＴＨ＞｜ＴＲ−ＴＸ｜が成立しない場合（ステップＳ１０８，Ｎｏ）、チルド室１２の温度を精確に測定できていないと推定し、不等式ＴＨ≦｜ＴＲ−ＴＸ｜が成立するまで温度検知を続ける。不等式ＴＨ＞｜ＴＲ−ＴＸ｜が成立する場合（ステップＳ１０８，Ｙｅｓ）、チルド室１２の温度を精確に測定できていると推定し、次のステップに進む。なお、閾値ＴＨは、チルド室１２の設定温度帯（例えば、チルド温度帯や氷温帯）や冷蔵室２の目標温度、冷凍室温度、外気温度や外気湿度に正の相関を持たせて変更することができる。外気温度は、冷蔵庫１外部に温度センサや湿度センサを設けることで検知できる。
【００３５】
精確と推定されたチルド室１２の検知温度ＴＸと、例えば予め定められた温度補償ヒータ１３のＯＮ閾値とを比較する（ステップＳ１０９）。ＯＮ閾値よりも検知温度ＴＸが高ければ待機し（ステップ１０９，Ｎｏ）、ＯＮ閾値よりも検知温度ＴＸが低ければ（ステップ１０９，Ｙｅｓ）、温度補償ヒータ１３の通電を開始する（ステップＳ１１０）。
【００３６】
次に、検知温度ＴＸが温度補償ヒータ１３のＯＦＦ閾値より低ければ（ステップＳ１１１，Ｙｅｓ）、温度補償ヒータ１３を通電し続ける。ＯＦＦ閾値以上であれば（ステップＳ１１１，Ｙｅｓ）、温度補償ヒータ１３の通電を停止する（ステップＳ１１２）。
【００３７】
なお、ステップＳ１０９，Ｎｏが継続している間に扉２ａ，２ｂの開を検知した場合、ステップＳ１０１，Ｙｅｓに割込み処理で戻ることができる。
【００３８】
（閾値ＴＨの算出）
図６は本実施例の第１の温度検知部１０と第２の温度検知部１８との関係を示す図である。閾値ＴＨは、温度ＴＲを基準として、ここから所定値高温側の値とおく。すなわち、閾値ＴＨ：＝ＴＲ＋Ｃ（但し、Ｃは正の定数）とおく。
【００３９】
例えば照明装置１７が点灯し、第２の温度検知部１８の温度ＴＸが上昇して閾値ＴＨを超えたとき、ステップＳ１０８はＮｏと判定されて、温度ＴＸの測定がやりなおされる。一方、例えば照明装置１７が消灯し、第２の温度検知部１８の温度ＴＸが低下して閾値ＴＨ以下となったとき、ステップＳ１０８はＹｅｓと判定される。このように構成することで、照明装置１７に起因して第２の温度検知部１８が真の温度から遠い値を検知していると推定される場合に、この検知結果ＴＸを用いた制御をおこなわないで済むため、例えば温度補償ヒータ１３を不適切にＯＮ／ＯＦＦすることを抑制できる。
【００４０】
（冷蔵庫１の制御ブロック図）
図７は実施例１の冷蔵庫の制御ブロック図である。扉２ａ，２ｂの開閉を検知する扉開閉検知部１４、チルド室１２を照明するための照明基板１６、冷蔵室２内温度を検知する第１の温度検知部１０，チルド室１２内温度を検知する第２の温度検知部１８、扉の開放時間計測結果や温度等を記憶するメモリ１１ａ，タイマ１１ｂ、それらの情報を基に演算を行う演算部１１ｃを搭載した制御基板１１により、照明装置１７、温度補償ヒータ１３、冷却ファンモータ９、圧縮機７などの負荷を制御動作させる。
【実施例２】
【００４１】
本実施例は、次の点を除き実施例１と同様にできる。
図８は本実施例の温度検知の制御フローチャートである。本実施例では、実施例１の制御に代えて（又は追加して）、冷蔵室冷却ファンモータの運転状態を利用して待ち時間Ａを算出する。これにより冷却能力（冷却スピード）を考慮した適切な制御が可能となる。第２の温度検知部１８が風路上、例えば戻り風路口近傍にあるとより効果的である。
【００４２】
両扉２ａ，２ｂが閉められ（ステップＳ１０４，Ｙｅｓ）、照明装置１７が消灯すると（ステップＳ１０５）、本実施例ではさらに、冷蔵室２冷却の冷却ファンモータ９ａが運転を開始する（ステップＳ２００）と同時に、冷却ファンモータ９ａの回転数を検出する（ステップＳ２０１）。
【００４３】
冷却ファンモータ９ａには実回転数を制御基板１１にフィードバックする機能が搭載されているため、この値を用いるか、制御基板１１による指令回転数等を使用しても良い。検出した回転数により、第２温度検知部１８に温度検知をさせるまでの待ち時間（本実施例ではＢとおく）を算出する（ステップＳ２０２）。その余の制御は実施例１と同様にできる。
【００４４】
通常、冷蔵室２内が十分に冷えている状態では、冷却ファンモータ９ａは低速または停止し、冷却が不十分な状態では、冷却ファンモータ９ａが高速で運転する。冷却ファンモータ９ａの駆動によって冷蔵室２、ひいては基板１６に冷気が供給されるため、冷却ファンモータ９ａの駆動が活発であれば待ち時間Ｂは短くできると期待される。
【００４５】
図９は、実施例２のファンモータ９ａの駆動状態と第２の温度検知部１８の待ち時間Ｂとの関係を示す図である。
【００４６】
扉２ａ，２ｂ開放中は、騒音防止や省エネを目的に冷却手段ファンモータ９ａを停止させている。扉が閉められると、例えば冷蔵室２内の温度に応じた回転数で冷却ファンモータ９ａが運転を開始する。本実施例では、扉２ａ，２ｂ閉後の回転数と待ち時間Ｂとの間に負の相関を持たせた。具体的には、回転数が高いほど待ち時間Ｂを短くしている。図９では一例として、回転数を離散的に高回転数、低回転数、停止と３段階に区切り、何れの回転数で駆動しているかに応じて温度検知部１８の待ち時間Ｂが変動している。冷却ファンモータ９ａの回転数がそれぞれ高回転数、低回転数、停止であるとき、待ち時間ＢはそれぞれＢ１，Ｂ２、Ｂ３（但し、Ｂ１＜Ｂ２＜Ｂ３）となる。
【００４７】
これに代えて、図１０のようにすることもできる。図１０は、実施例２の冷却ファンモータ９ａの回転数と第２の温度検知部１８の待ち時間Ｂの関係を示す図である。
【００４８】
縦軸に冷却ファンモータ９ａの回転数Ｎ、横軸に温度検知部１８の検知待ち時間Ｂをとる。冷却ファンモータ９ａの回転数Ｎにより、温度検知待ち時間Ｂが負の相関を以て、例えば線形に減少する。また、回転数Ｎが或る値以下となったときは、第２の温度検知部１８の冷却速度がほとんどできないとして、冷却ファンモータ９ａの停止時と同じ待ち時間にしている。
【符号の説明】
【００４９】
１  冷蔵庫本体
２  冷蔵室（貯蔵室）
２ａ、２ｂ  冷蔵室扉
３  上段冷凍室
３ａ  上段冷凍室扉
４  製氷室
４ａ  製氷室扉
５  下段冷凍室
５ａ  下段冷凍室扉
６  野菜室
６ａ  野菜室扉
７  圧縮機
８ａ  冷蔵室冷却器
８ｂ  冷凍室冷却器
９ａ  冷蔵室冷却ファンモータ
９ｂ  冷凍室冷却ファンモータ
１０  第１の温度検知部
１１  制御基板
１２  チルド室（貯蔵室内の別の貯蔵室）
１３  温度補償ヒータ（加熱部）
１４  扉開放検知部
１６  照明基板
１７  照明装置
１８  第２の温度検知部
【図１】
2019138515.tif 000003
【図２】
2019138515.tif 000004
【図３】
2019138515.tif 000005
【図４】
2019138515.tif 000006
【図５】
2019138515.tif 000007
【図６】
2019138515.tif 000008
【図７】
2019138515.tif 000009
【図８】
2019138515.tif 000010
【図９】
2019138515.tif 000011
【図１０】
2019138515.tif 000012